(57)【要約】      （修正有）【課題】タービンシステム、より特定的には火炎伝播管パージ装置、並びに火炎伝播管をパージする方法を提供する。【解決手段】火炎伝播管パージ装置は、燃焼器チャンバー付近から隣接する燃焼器チャンバー１８付近まで延びていて燃焼器チャンバー１８と隣接する燃焼器チャンバー１８とを流体結合する火炎伝播管を含む。また、圧縮空気を火炎伝播管に選択的に送出する圧縮空気供給装置も含み、この圧縮空気供給装置は火炎伝播管への圧縮空気の送出を制御する調節要素を含む。【選択図】図１
2014098540.tif 000002
【特許請求の範囲】
【請求項１】
燃焼器チャンバー付近から隣接する燃焼器チャンバー付近まで延びていて、燃焼器チャンバーと隣接する燃焼器チャンバーとを流体結合する火炎伝播管、及び
圧縮空気を火炎伝播管に選択的に送出するための圧縮空気供給装置であって、火炎伝播管への圧縮空気の送出を制御する調節要素を含む、圧縮空気供給装置
を含む火炎伝播管パージ装置。
【請求項２】
さらに、火炎伝播管から外側に向けて間隔をもって離れており、火炎伝播管を包囲するチューブケーシングを含んでいる、請求項１記載の火炎伝播管パージ装置。
【請求項３】
圧縮空気供給装置がチューブケーシングを通って火炎伝播管付近の位置まで延びていて圧縮空気を送出する、請求項２記載の火炎伝播管パージ装置。
【請求項４】
さらに、火炎伝播管の内部領域に圧縮空気を分配するために火炎伝播管の一部分の付近に配置された環状のマニホルドを含んでいる、請求項１記載の火炎伝播管パージ装置。
【請求項５】
環状のマニホルドが、火炎伝播管の内面に近接して圧縮空気を導くために少なくとも１つの角度のある注入開口を含む、請求項４記載の火炎伝播管パージ装置。
【請求項６】
さらに、火炎伝播管の内面に近接して圧縮空気を導くために少なくとも１つの再誘導要素を含む、請求項４記載の火炎伝播管パージ装置。
【請求項７】
圧縮空気供給装置が火炎伝播管付近の複数の位置に圧縮空気を送出する、請求項１記載の火炎伝播管パージ装置。
【請求項８】
前記複数の位置が火炎伝播管の第１の部分及び火炎伝播管の第２の部分を含み、第１の部分と第２の部分が機能可能に結合されている、請求項７記載の火炎伝播管パージ装置。
【請求項９】
調節要素がバルブを含み、圧縮空気供給装置が、第１の作動条件中圧縮空気を送出し、第２の作動条件中圧縮空気を制限するように構成されている、請求項１記載の火炎伝播管パージ装置。
【請求項１０】
第１の作動条件が定常状態条件を含み、第２の作動条件が着火条件を含む、請求項９記載の火炎伝播管パージ装置。
【請求項１１】
第１の作動条件が燃料−空気予混合条件を含む、請求項９記載の火炎伝播管パージ装置。
【請求項１２】
互いに機能可能に結合されチューブケーシングにより包囲された第１の部分及び第２の部分を含む火炎伝播管、
火炎伝播管の一部分に沿って配置された環状のマニホルドに近接してチューブケーシングを通って延びる１以上のパイプを含む圧縮空気供給装置、並びに
環状のマニホルドへの圧縮空気の送出を制御するための、圧縮空気供給装置と連通した調節要素
を含み、圧縮空気が、第１の作動条件中は環状のマニホルドに送出され、第２の作動条件中は制限される、火炎伝播管パージ装置。
【請求項１３】
環状のマニホルドが、火炎伝播管の内面に近接して圧縮空気を導くための少なくとも１つの角度のある注入開口を含む、請求項１２記載の火炎伝播管パージ装置。
【請求項１４】
さらに、火炎伝播管の内面に近接して圧縮空気を導くために、環状のマニホルドに比較的隣接して配置された少なくとも１つの再誘導要素を含む、請求項１２記載の火炎伝播管パージ装置。
【請求項１５】
圧縮空気供給装置が火炎伝播管付近の複数の位置に圧縮空気を送出する、請求項１２記載の火炎伝播管パージ装置。
【請求項１６】
前記複数の位置が、火炎伝播管の第１の部分の付近の第１の位置及び火炎伝播管の第２の部分の付近の第２の位置を含む、請求項１５記載の火炎伝播管パージ装置。
【請求項１７】
第１の作動条件が定常状態条件を含み、第２の作動条件が着火条件を含む、請求項１２記載の火炎伝播管パージ装置。
【請求項１８】
第１の作動条件中圧縮空気を火炎伝播管に送出して火炎伝播管をパージし、
第２の作動条件中火炎伝播管への圧縮空気の流れを制限する
ことを含む、火炎伝播管をパージする方法。
【請求項１９】
圧縮空気を火炎伝播管に送出することが、火炎伝播管付近に配置された環状のマニホルドに圧縮空気を送出して、火炎伝播管の内部領域中に圧縮空気を注入することを含む、請求項１８記載の方法。
【請求項２０】
火炎伝播管への圧縮空気の流れを制限することが、圧縮空気供給装置内に配置されたバルブによって前記流れを制御することを含む、請求項１８記載の方法。
【発明の詳細な説明】
【技術分野】
【０００１】
本明細書に開示されている主題は、タービンシステム、より特定的には火炎伝播管パージ装置、並びに火炎伝播管をパージする方法に関する。
【背景技術】
【０００２】
ガスタービンエンジンの隣接する燃焼器は通例火炎伝播管（ｃｒｏｓｓ−ｆｉｒｅ  ｔｕｂｅ）によって連結されて、ガスタービンエンジンの全ての燃焼器チャンバーの実質的に同時の点火及び均等化された圧力を確実にしている。全ての燃焼器チャンバーが火炎を開始するために点火要素を含んではいないことが普通である。かかる装置においては、火炎伝播管によって、火炎が１つの燃焼器チャンバーから隣接する燃焼器チャンバーへ移ることができる。火炎伝播管はまた、予混合作動条件と定常状態作動条件との間の着火作動条件中燃焼器チャンバーの点火予混合領域から非点火予混合領域へ火炎を移すのにも必要であり得る。予混合条件において、火炎伝播管により連結された燃焼器チャンバーの領域は火炎がなく、燃料と空気を予混合するのに使用され、一方着火作動条件においてはこの同じ領域が火炎を有する。
【０００３】
使用されてないとき、火炎伝播管は、燃焼の結果の高温のガス又は予混合ゾーン内の未燃焼燃料の隣接する燃焼器チャンバーからの望ましくない移動（火炎伝播管の融解又は燃焼の予混合ゾーンの再点火に至り得る）に対抗しなければならない。この対抗はパージ空気を火炎伝播管に導入することにより処することができるが、絶えず続くパージは、全ての作動条件の間、例えば、１つの燃焼器チャンバーから別のチャンバーへの火炎の移動を必要とする着火条件に至る点火中は望ましくない。
【先行技術文献】
【特許文献】
【０００４】
【特許文献１】米国特許第５８９６７４２号
【発明の概要】
【課題を解決するための手段】
【０００５】
本発明の１つの局面によると、火炎伝播管パージ装置は、燃焼器チャンバーと隣接する燃焼器チャンバーとを流体結合するために、燃焼器チャンバーの付近から隣接する燃焼器チャンバーの付近まで延びる火炎伝播管を含む。また、圧縮された空気を火炎伝播管に選択的に送出するための圧縮空気供給装置も含まれており、この圧縮空気供給装置は圧縮空気の火炎伝播管への送出を制御するための調節要素を含む。
【０００６】
本発明の別の局面によると、火炎伝播管パージ装置は、互いに機能可能に結合されチューブケーシングにより包囲された第１の部分と第２の部分を含む火炎伝播管を含む。また、火炎伝播管の一部分に沿って配置された環状のマニホルドに近接してチューブケーシングを通って延びる１以上のパイプを含む圧縮空気供給装置も含まれている。さらに、圧縮空気の環状マニホルドへの送出を制御するために圧縮空気供給装置と連通した調節要素を含んでおり、ここで圧縮空気は、第１の作動条件中は環状のマニホルドへ送出され、第２の作動条件中は制限される。
【０００７】
本発明のさらに別の局面によると、火炎伝播管をパージする方法が提供される。この方法は、第１の作動条件中火炎伝播管をパージするために圧縮空気を火炎伝播管に送出することを含む。また、第２の作動条件中火炎伝播管への圧縮空気の流れを制限することを含む。
【０００８】
これら及びその他の利点及び特徴は、図面を参照した以下の説明から、より明らかになるであろう。
【０００９】
本発明と考えられる主題は、本明細書に続く特許請求の範囲に特に示され、明確に記載されている。本発明の上記及びその他の特徴並びに利点は添付の図面と併せた以下の詳細な説明から明らかである。
【図面の簡単な説明】
【００１０】
【図１】図１は、ガスタービンシステムの略図である。
【図２】図２は、ガスタービンシステムの火炎伝播管パージ装置の略図である。
【図３】図３は、火炎伝播管をパージする方法を例示する流れ図である。
【発明を実施するための形態】
【００１１】
以下の詳細な説明は、例として図面に関して、本発明の実施形態を、利点及び特徴と共に説明する。
【００１２】
図１を参照すると、本発明の代表的な実施形態に従って構成されたガスタービンエンジン１０が模式的に示されている。ガスタービンエンジン１０は、圧縮機１２及び缶環状アレイとして配列された複数の燃焼器アセンブリ（そのうちの１つを１４で示す）を含んでいる。図に示されているように、燃焼器アセンブリ１４は、燃焼器チャンバー１８を密封し、かつ少なくとも部分的に画定するエンドカバーアセンブリ１６を含んでいる。複数のノズル２０−２２がエンドカバーアセンブリ１６により支持され、燃焼器チャンバー１８中に延びている。ノズル２０−２２は共通の燃料入口（図には示してない）を介して燃料を受け取り、また圧縮機１２から圧縮空気を受け取る。この燃料と圧縮空気は燃焼器チャンバー１８に送られ点火されて、タービン２４を駆動するのに使用される高温高圧の燃焼生成物又は空気流を形成する。タービン２４は、圧縮機／タービンシャフト３０（ロータともいわれる）を介して圧縮機１２と機能的に連結された複数の段２６−２８を含んでいる。
【００１３】
作動中、空気は圧縮機１２内に流入し、高圧のガスに圧縮される。この高圧ガスは燃焼器アセンブリ１４に供給され、燃焼器チャンバー１８内で燃料、例えば天然ガス、燃料油、プロセスガス及び／又は合成ガス（ｓｙｎｇａｓ）と混合される。この燃料／空気すなわち可燃性の混合物が発火して高圧高温の燃焼ガス流を形成する。いずれにせよ、燃焼器アセンブリ１４が燃焼ガス流をタービン２４に運び、そこで熱エネルギーが機械的回転エネルギーに変換される。
【００１４】
ここで図２を参照して、上述したように、燃焼器アセンブリの缶環状アレイがガスタービンエンジン１０の軸方向中心線の周りで円周方向に間隔をもって離れて配列されている。分かり易くするために、缶環状アレイの部分図が示されており、燃焼器チャンバー１８と隣接する燃焼器チャンバー３２とを含んでいる。燃焼器チャンバー１８と隣接する燃焼器チャンバー３２とは火炎伝播管装置３４の火炎伝播管３３により流体結合しており、火炎伝播管３３は燃焼器ライナー３８及び／又は燃焼器ライナー３８を包囲するスリーブ４０に近接して第１の端部３６で固定される。火炎伝播管３３は隣接する燃焼器ライナー４４及び／又はこの隣接する燃焼器ライナー４４を包囲する隣接するスリーブ４６に近接して第２の端部４２で固定される。火炎伝播管３３は通例、互いに機能可能に結合される第１の部分４８と第２の部分５０を含んでいる。１つの実施形態において、第１の部分４８は、第２の部分５０とテレスコープ式に係合する雄の部分といわれ、第２の部分５０は第１の部分４８を受け入れる雌の部分といわれる。
【００１５】
火炎伝播管３３は外面５２と内面５４を含み、この内面５４が燃焼器チャンバー１８と隣接する燃焼器チャンバー３２との流体結合を提供する内部領域５６を画定しており、このため燃焼器チャンバー１８から隣接する燃焼器チャンバー３２への、又はその逆の火炎の移動が可能である。かかる移動はガスタービンエンジン１０の燃焼器アセンブリの着火の際に望ましく、燃焼器アセンブリのほぼ同時の点火又は再点火が可能になる。
【００１６】
火炎伝播管装置３４はまた、火炎伝播管３３から半径方向外側に間隔をもって離れており火炎伝播管３３の支持を補助し得るチューブケーシング５８も含んでいる。しかしながら、第１の端部３６と第２の端部４２の固定で支持目的には充分であろう。火炎伝播管３３もチューブケーシング５８もガスタービンエンジン１０の作動中課される温度に耐えるのに充分な材料から作製され、通例高温の作動中機能するように十分に高い融解温度を有する金属である。
【００１７】
圧縮空気供給装置６０は、圧縮機１２から、通例圧縮機１２から圧縮機排出ケーシング領域（図示してない）を介して間接的に、火炎伝播管３３へ圧縮空気６２を送る(routing and delivering)ための配管(piping or tubing)構成を含んでいる。圧縮空気供給装置６０の配管構成は数多くの構成で配列し得、図示した構成は単なる１つの例である。図示したように、圧縮空気供給装置６０は、圧縮機１２、又は圧縮機排出ケーシング領域から、火炎伝播管装置３４に近接する、より具体的にはチューブケーシング５８に近接する位置へ圧縮空気６２を送る主供給ライン６４を含む。圧縮空気供給装置６０は、圧縮空気６２を複数の位置に送出するために分割され得、１つの代表的な実施形態においては第１のライン６８及び第２のライン７０が主供給ライン６４からの圧縮空気６２を受け取り、別々の位置に送る。圧縮空気６２を追加の位置に送出するために追加のラインを使用し得ることと理解されたい。さらに、主供給ライン６４、又は単にその延長部を含む単一のラインを使用して圧縮空気６２を単一の位置に送出し得る。
【００１８】
圧縮空気供給装置６０の正確な構成に関わらず、圧縮空気６２の送出のために、１以上のラインがチューブケーシング５８を貫通して火炎伝播管３３に近接する位置まで延びている。図示した実施形態において、第１のライン６８と第２のライン７０はチューブケーシング５８の外部に位置する接合点７２で主供給ライン６４と出会うが、代わりの実施形態はチューブケーシング５８と火炎伝播管３３との間に接合点７２を含む。圧縮空気供給装置６０は、火炎伝播管３３の周りで円周方向に延びる環状のマニホルド７４に圧縮空気６２を送出して、火炎伝播管３３から流体をパージして除くために圧縮空気６２の比較的均一な流れ分布を内部領域５６に達成する。環状のマニホルド７４は、火炎伝播管３３の内面５４に近接して圧縮空気６２を導くために１以上の角度のある注入装置７６を含み得る。いかなる流体も内面５４に集中するので、内面５４に沿って圧縮空気６２を導くことでパージ効率が高まる。１以上の角度のある注入装置７６の代わりに、又はそれと組み合わせて、少なくとも１つのバッフル７８を環状のマニホルド７４付近で火炎伝播管３３に沿って配置して、圧縮空気６２を再度内面５４に近接して導くことができよう。
【００１９】
図示した実施形態においては、第１のライン６８が火炎伝播管３３の第１の部分４８に沿った位置に圧縮空気６２を送出し、一方第２のライン７０は第２の部分５０に沿った位置に圧縮空気６２を送出する。両方の位置が環状のマニホルド７４を含んでおり、各々の位置に対する環状のマニホルド７４の繰り返しの説明は必要ないことが了解されよう。
【００２０】
圧縮空気供給装置６０は、火炎伝播管３３に供給される圧縮空気６２の流量を積極的に制御する調節要素８０を含んでいる。具体的には、調節要素８０は、１以上の作動条件中には圧縮空気６２を選択的に送出するが、他の作動条件では火炎伝播管３３への圧縮空気６２の流れを制限又は停止するように構成されている。調節要素８０は、圧縮空気６２の流れを可能にし、制限し、停止することができる任意の適切な計量要素、例えばバルブを含む。調節要素８０は、第１のライン６８及び第２のライン７０のような様々なラインを含めて圧縮空気供給装置６０のあらゆる下流領域全体の流れを制御するために主供給ライン６４に配置され得る。或いは、複数の調節要素を別個のラインに配置して各々のラインを制御し得る。
【００２１】
圧縮空気６２の制限又は完全な停止が課されるのは、火炎伝播管３３を通しての流体又は火炎の通過が望まれるときである。かかる条件は燃焼器チャンバー１８及び隣接する燃焼器チャンバー３２の着火又は再点火時に存在する。かかる作動条件中の圧縮空気６２の送出は燃焼系が完全に着火する能力を妨げるので、かかる積極的な制御はこの条件中のパージの停止を可能にするため有利である。圧縮空気６２の送出は、例えば定常状態作動中、及び予混合作動条件中有利である。予混合作動条件の場合、火炎伝播管３３のパージにより、液体燃料（例えば、石油燃料）作動における燃料系の確実で効率的な作動が可能となり、ＮＯｘ放出を抑えるための水の必要性が低下する。
【００２２】
図３の流れ図に示されているように、そして図１及び２を参照して、火炎伝播管をパージする方法１００も提供される。ガスタービンエンジン１０、並びに火炎伝播管装置３４及び圧縮空気供給装置６０については既に記載されており、具体的な構造要素についてここでさらに詳細に記載する必要はない。火炎伝播管をパージする方法１００は、第１の作動条件中圧縮空気を火炎伝播管に送出して火炎伝播管をパージし（１０２）、第２の作動条件中火炎伝播管への圧縮空気の流れを制限する（１０４）ことを含む。より具体的には、圧縮空気６２は環状のマニホルド７４に送出され、圧縮空気６２の制限はバルブのような調節要素８０によって制御される。
【００２３】
限られた数の実施形態のみに関連して本発明を詳細に説明して来たが、本発明がかかる開示された実施形態に限定されないことは容易に理解されよう。むしろ、本発明は、ここまでに記載しなかったが本発明の思想と範囲内に入る任意の数の変形、変更、置換又は等価な装置を含むように改変することができる。さらに、本発明の様々な実施形態について記載されているが、本発明の局面によっては記載された実施形態の幾つかのみを含み得るものと理解されたい。従って、本発明は以上の説明により限定されるものではなく、後続の特許請求の範囲によってのみ制限される。
【符号の説明】
【００２４】
１０  ガスタービンエンジン
１２  圧縮機
１４  燃焼器アセンブリ
１６  エンドカバーアセンブリ
１８  燃焼器チャンバー
２０−２２  ノズル
２４  タービン
２６−２８  複数の段
３０  圧縮機／タービンシャフト（ロータともいわれる）
３２  隣接する燃焼器チャンバー
３３  火炎伝播管
３４  火炎伝播管装置
３６  第１の端部
３８  燃焼器ライナー
４０  スリーブ
４２  第２の端部
４４  隣接する燃焼器ライナー
４６  隣接するスリーブ
４８  第１の部分
５０  第２の部分
５２  外面
５４  内面
５６  内部領域
５８  チューブケーシング
６０  圧縮空気供給装置
６２  圧縮空気
６４  主供給ライン
６８  第１のライン
７０  第２のライン
７２  接合点
７４  環状のマニホルド
７６  １以上の角度のある注入装置
７８  少なくとも１つのバッフル
８０  調節要素
１００  火炎伝播管をパージする方法
１０２  第１の作動条件中圧縮空気を火炎伝播管に送出して火炎伝播管をパージする
１０４  第２の作動条件中火炎伝播管への圧縮空気の流れを制限する
【図１】
2014098540.tif 000003
【図２】
2014098540.tif 000004
【図３】
2014098540.tif 000005